(57)【要約】【課題】薄型であると同時に押しボタンの復帰姿勢が安定しその操作性に優れた押しボタンスイッチを提供すること。【解決手段】押しボタン２にその動きを制限する鍔３と板バネ押さえバー３１を備え、板バネ４ａは基端部４２ａ１が板バネ取り付け部１１に固定され、支点部４２ｃ１が板バネ支持台１２で支持され、支点部４２ｃ１に近い被押圧箇所４２ｄ１でバネ押さえバー３１に接し、先端部４２ｂ１に磁石５が取り付けられ、押しボタン２の操作に伴う板バネ４ａの作用で磁石５がリードスイッチ６に接近しまたは離れ、これによりリードスイッチ６をオンオフする。押しボタン２と、リードスイッチ６と、磁石５とを並べて配置すると共に、磁石５の動きを拡大して、押しボタン２のストロークを小さくする。磁石取り付け部を持たず押しボタンの復元にのみ作用する板ばね４ｂを板ばね４ａに重ねて取り付ける。これにより、押しボタン２の戻し位置での姿勢の安定な薄型形状の押しボタンスイッチを実現する。【選択図】図１
2017079100.tif 000002
【特許請求の範囲】
【請求項１】
ケースの開口部に出没自在に設けられた押しボタンを備えた押しボタンスイッチであって、
前記ケースの内部に、
リードスイッチと、
前記リードスイッチをオンまたはオフに駆動する駆動手段を備えた第１の板バネと、
前記駆動手段を備えず、前記押しボタンに復元力を与える第２の板バネと、
を備え、
前記両板バネは、共に一端側が固定され、前記押しボタンの押し込み操作で被押圧箇所が押されると該被押圧箇所と前記一端側との間の途中箇所を支点にして同時に撓むように、前記押しボタン側から前記第２の板バネと前記第１の板バネとがこの順で重ねられて取り付けられている、ことを特徴とする押しボタンスイッチ。
【請求項２】
前記駆動手段は、前記リードスイッチを磁力によりオンに駆動する磁石であり、
前記磁石は、前記押しボタンの押し込み操作による前記第１の板バネの挙動により、前記リードスイッチに近接して当該リードスイッチをオンに駆動し、または、前記リードスイッチから離脱する、
請求項１に記載の押しボタンスイッチ。
【請求項３】
前記リードスイッチに対向配置された磁石を備え、
前記駆動手段は、前記押しボタンの押し込み操作による前記第１の板バネの挙動により、前記リードスイッチと前記磁石との間に介入またはその間から離脱する磁気遮蔽板である、
請求項１に記載の押しボタンスイッチ。
【発明の詳細な説明】
【技術分野】
【０００１】
本発明は、押しボタンスイッチに係わり、より詳細には、例えば乗客自らが車両ドアを開閉操作できる半自動式の車両ドアを備えた車両において、車両ドアの開閉操作に好適に使用される押しボタンスイッチに関するものである。
【背景技術】
【０００２】
乗客が少ない路線の電車や気動車等の車両には、駅に停車中、不必要に長く車両ドアが開放されたままになって、冬場では暖房による暖気が車外に流出して車内温度が低下したり、夏場では冷房中の車内温度が上昇したりする。これを防止するために、乗客自らが車両ドアを開閉操作できる半自動式の車両ドアを備えた車両がある。
【０００３】
上記のような半自動式の車両ドアを備えた車両では、一般に、車外と車内それぞれに車両ドア開閉用のスイッチとして押しボタンスイッチが設置されている。
【０００４】
図５を参照して、従来のこの種の押しボタンスイッチを説明する。この押しボタンスイッチは、ケース１０１と、押しボタン１０２と、押しボタン１０２の動き範囲規制用の鍔１０３と、押しボタン１０２を押し込み方向とは反対方向に常時付勢する戻しバネ１０４と、押しボタン１０２の押し込みをガイドする筒状ガイド１０５と、車両ドア開閉機構に通電するための接点を内部に備えたリードスイッチ１０６と、リードスイッチ１０６の接点駆動用の磁石１０７と、磁石１０７が圧入された円筒状シリンダ１０８と、を備える。
【０００５】
鍔１０３は、押しボタン１０２と円筒状シリンダ１０８とで挟まれ、筒状ガイド１０５の下面とケース１０１の凹部１０１ａ底面との間の空間内を押しボタン１０２と共に一体移動する。円筒状シリンダ１０８は、その下面が戻しバネ１０４で押しボタン１０２の方向に付勢されており、押しボタン１０２の移動に伴い、ケース１０１の筒状部１０１ｂの内面に沿って、移動する。
【０００６】
押しボタン１０２は、筒状ガイド１０５の内面でガイドされつつ押し込み自在であるが、鍔１０３でその押し込み量が規制される一方、その押し込みが解除されると、戻しバネ１０４で元の位置に戻される。押しボタン１０２が押し込まれ、シリンダ１０８が移動すると、磁石１０７もその押し込み方向に移動してリードスイッチ１０６と対面させられる。
【０００７】
リードスイッチ１０６は、磁石１０７の磁力の作用およびその作用の解除で内部の接点が開閉する。リードスイッチ１０６の接点が開閉すると、それに応じて車両のドア開閉機構への通電および通電の解除等により、半自動式の車両ドアが開閉する。
【０００８】
こうした押しボタンスイッチにおいては、磁石１０７の磁極軸の方向は、リードスイッチ６の電極軸の方向と直交する方向に設定されていて、Ｓ磁極もしくはＮ磁極がリードスイッチ６の側に向いている。
【０００９】
上記構成の押しボタンスイッチでは、接点としてリードスイッチ１０６を使用することで、ドア駆動開閉機構を作動させる作動電圧を比較的高電圧として使用することが可能となり、電車等の車両への設置が容易になるほか、リードスイッチ１０６が押しボタン１０２の変位経路の脇に位置するので、全体の厚みが、押しボタン１０２の奥行き長さにその変位ストロークを加えた程度の厚みに収まり、比較的薄型である等の利点がある。
【先行技術文献】
【特許文献】
【００１０】
【特許文献１】特開２００１−１８４９７３号公報
【発明の概要】
【発明が解決しようとする課題】
【００１１】
しかし、上記従来の押しボタンスイッチには、以下の課題がある。
【００１２】
すなわち、上記押しボタンスイッチは、押しボタン１０２の下にリードスイッチ１０６およびリードスイッチ１０６の駆動用磁石１０７が一体となって配置されているので、押しボタン１０２の押し込み方向にそれらの合計厚さが必要である。また、押しボタン１０２の移動ストロークは、リードスイッチ１０６の駆動に必要な磁石１０７の移動距離に等しいので、該移動ストロークを小さくすることができない。そのため、従来の押しボタンスイッチでは、より薄型化を図ることは容易ではないという課題があった。
【００１３】
そこで、本出願人は、特願２０１４−２００５３１号（平成２６年９月３０日出願：発明の名称「リードスイッチを使用した押しボタンスイッチ」）で上記課題を解決した押しボタンスイッチを提案している。
【００１４】
この提案に係る押しボタンスイッチにおいては、押しボタンを押し込み操作することで、板バネを撓ませ、板バネがその先端に備える磁石でリードスイッチをオンまたはオフに駆動し、押し込み操作を解除すると、板バネ自身の復元力を利用して押しボタンを所定の戻し位置に戻すようにしている。
【００１５】
この提案に係る押しボタンスイッチに関して、板バネの先端にある磁石がケース上部に当たると、板バネはそれ以上、復元できなくなり、それによって、板バネの復元力を利用して押しボタンを所定の戻し位置に復帰させることができず、押しボタンの復帰位置での姿勢が不安定となって、その操作性が低下するおそれがあるという課題が残る。
【００１６】
すなわち、本発明は、本出願人の提案に係る上記押しボタンスイッチの改良に係り、板バネを使用して押しボタンの薄型化を図ると同時に、押し込み操作を解除すると、押しボタンが板バネの復元力で安定した姿勢でもって所定の戻し位置に戻り、これにより押しボタンの操作性が向上した押しボタンスイッチを提供することを目的としている。
【課題を解決するための手段】
【００１７】
本発明に係る押しボタンスイッチは、ケースの開口部に出没自在に設けられた押しボタンを備えた押しボタンスイッチであって、前記ケースの内部に、リードスイッチと、前記リードスイッチをオンまたはオフに駆動する駆動手段を備えた第１の板バネと、前記駆動手段を備えず、前記押しボタンに復元力を与える第２の板バネと、を備え、前記両板バネは、共に一端側が固定され、前記押しボタンの押し込み操作で被押圧箇所が押されると該被押圧箇所と前記一端側との間の途中箇所を支点にして同時に撓むように、前記押しボタン側から前記第２の板バネと前記第１の板バネとがこの順で重ねられて取り付けられていることを特徴とする。
【００１８】
本発明において、前記駆動手段には、例えば、磁石や、磁気遮蔽板を含む。本発明は、前記駆動手段として、磁石や磁気遮蔽板に限定されず、リードスイッチをオンまたはオフに駆動することができるものであればよい。
【００１９】
本発明によれば、上記２枚の板バネの撓み、復元でリードスイッチをオンまたはオフに駆動する構造であるので、従来の押しボタンスイッチで必要とされていたシリンダが不要となるなど、押しボタンの操作ストロークが小さくなり、これにより押しボタンスイッチ全体の薄型化を達成することができる。
【００２０】
そして、本発明においては、押しボタンの押し込みおよびその押し込みの解除に伴い第１の板バネが挙動し、これにより、第１の板バネに備えられた駆動手段によってリードスイッチがオンまたはオフに駆動される一方、第２の板バネは、押しボタンの押し込みが解除されると、自身の復元力で押しボタンを所定の戻し位置に戻すように作用する。その結果、第１の板バネがその復帰に制限があっても、押しボタンは、第２の板バネによって所定の戻し位置に復帰するので、その復帰姿勢がぐらつかず安定せしめ、その操作性が向上する。
【００２１】
本発明の好ましい実施態様では、前記駆動手段は、前記リードスイッチを磁力によりオンに駆動する磁石であり、前記磁石は、前記押しボタンの押し込み操作による前記第１の板バネの挙動により、前記リードスイッチに近接して当該リードスイッチをオンに駆動し、または、前記リードスイッチから離脱する。
【００２２】
本発明の別の好ましい実施態様では、前記リードスイッチに対向配置された磁石を備え、前記駆動手段は、前記押しボタンの押し込み操作による前記第１の板バネの挙動により、前記リードスイッチと前記磁石との間に介入またはその間から離脱する磁気遮蔽板である。
【発明の効果】
【００２３】
本発明によれば、板バネを使用し、板バネの撓みでリードスイッチを駆動する構造であるので、押しボタンスイッチの薄型化を図れる。本発明では、押しボタンの戻し操作で駆動手段がケース内上部に達するなどして、駆動手段を備える第１の板バネがその移動の制限位置に達して押しボタンを戻し位置に戻すための復元力を失っても、第２の板バネはそのような制限を受けず押しボタンを所定の戻し位置に戻すための復元力を維持している。押しボタンは第２の板バネの復元力で所定の戻し位置まで復帰できるので、その復帰姿勢が安定し、その操作性が向上する。また、本発明では、第１、第２の板バネが重ねられて配置されているので、両板バネの取り付けスペースを小さくでき、２枚の板バネを使用しても押しボタンスイッチの薄型化を損なうことがない。
【図面の簡単な説明】
【００２４】
【図１】本発明の実施形態１に係る押しボタンスイッチの原理的な概略側面構造図であり、(ａ)は押しボタン戻り状態、(ｂ)は押しボタン押し込み状態を示す。
【図２】図１の原理的な動作機構平面図である。
【図３】本発明の実施形態２に係る押しボタンスイッチの原理的な概略側面構造図であり、リードスイッチの内部接点が、ｂ接点を構成する。
【図４】本発明の実施形態３に係る押しボタンスイッチの原理的な概略側面の一部構造図であり、(ａ)は押しボタン戻り状態、(ｂ)は押しボタン押し込み状態を示す。
【図５】従来例の押しボタンスイッチの概略的な側面断面図である。
【発明を実施するための形態】
【００２５】
以下、添付の図面を参照して、本発明の実施形態に係る押しボタンスイッチを詳細に説明する。
【００２６】
(実施形態１)
図１および図２を参照して、実施形態１に係る押しボタンスイッチを説明する。図１は実施形態１の押しボタンスイッチの原理的な概略側面構造図であり、(ａ)は押しボタンの戻り状態、(ｂ)は押しボタンの押し込み状態を示す。図２は図１の原理的な動作機構平面図である。実施形態１の押しボタンスイッチは、乗客自らが車両ドアを開閉操作できる半自動式の車両ドアを備えた車両に配備されるものである。
【００２７】
なお、実施形態１の押しボタンスイッチは、車両ドア近傍の車両内外に配置されて、乗客により操作されるものであるから、図中の上下方向は車両に配置されるときは水平方向、左右方向は垂直方向となるが、以下の上下方向および左右方向に本発明は限定されない。本発明の押しボタンスイッチは、半自動式の車両ドアを装備した車両に適用することに限定されるものではなく、その用途に応じて適宜に実施することができることは勿論である。
【００２８】
実施形態１の押しボタンスイッチは、ケース１を備える。
【００２９】
ケース１は、共に同サイズの平面視矩形形状をなす上部１ａおよび下部１ｂと、同サイズの平面視矩形形状をなす４つの側部１ｃとで箱形状に構成されている。本発明において、ケース１の形状は箱形状に限定されず、円筒形状やその他の形状であってもよいことは勿論である。
【００３０】
ケース１の上部１ａに開口部１ｄが平面視矩形形状に形成されている。その開口部１ｄには、押しボタン２が出没自在に設けられている。
【００３１】
押しボタン２は、ケース１の開口部１ｄの平面視形状とほぼ合致する平面視形状を有し、その上面が操作面となる。
【００３２】
押しボタン２は、ケース１の上部１ａの肉厚よりも厚肉であり、押しボタン２の操作面は、図１(ａ)の戻り状態では、開口部１ｄより、若干、上部外方に突出している。
【００３３】
なお、図２では図解の都合で押しボタン２および後述する鍔３はその平面視の外形形状が仮想線で示されている。図２では押しボタン２および鍔３は平面視矩形形状に描かれているが、その形状に限定されるものではなく、平面視円形形状やその他の平面視形状であってもよい。
【００３４】
ケース１の内部の構成を、以下、説明する。
【００３５】
鍔３は、押しボタン２の下面に直結されており、ケース１の開口部１ｄより平面視サイズが大きい平面視矩形形状をなしている。鍔３は、その平面視矩形形状の四隅を含む外周部分がケース１の開口部１ｄ周囲の下面に位置するように当該下面側に設けられている。鍔３は、押しボタン２が上方に付勢されていると、ケース１の上部１ａを戻しストッパ１４としてその内面に当接する。
【００３６】
押しボタン２の下面には、図１および図２で左右方向の中央箇所に、図１では紙面を垂直に貫通する方向、図２では上下方向に延びるバネ押さえバー３１が形成されている。バネ押さえバー３１は、図の上下方向一様なバー高さで下方すなわち板バネ４ａ，４ｂ方向へ突出しており、押しボタン２が下方へ押し込み操作されると、第１、第２の板バネ４ａ，４ｂを下方へ押さえる。バネ押さえバー３１には、図１では紙面を垂直に貫通する方向２箇所、図２では上下方向２箇所で位置決めピン３２ａ、３２ｂが突設され、第１及び第２の板バネ４ａ、４ｂの位置決め穴４２ｅ１，４２ｅ２を貫通している。
【００３７】
押しボタン２は、図１(ａ)の戻り位置から図１(ｂ)で示す矢印方向に押し込まれ、最初は第２の板バネ４ｂを押し、第２の板バネ４ｂが第１の板バネ４ａに接すると、両板バネ４ａ、４ｂを同時に押し、バネ押さえバー３１の位置決めピン３２ａ、３２ｂが押しストッパ１３に突き当たると、押しボタン２はそれ以上押し込まれない。これにより、押しボタン２の押し込み方向における移動範囲が規制されるようになっている。
【００３８】
第１及び第２の板バネ４ａ、４ｂは、燐青銅等のバネ材料からなり、図２の平面視において長方形板状に形成されている。第１の板バネ４ａの左右方向の長さは、第２の板バネ４ｂの左右方向の長さより長く、実施形態では約２倍程度長いが、第１の板バネ４ａおよび第２の板バネ４ｂの左右方向の長さは、この長さ比率に限定されるものではない。第１及び第２の板バネ４ａ、４ｂは、共に、その右側端部４２ａ１，４２ａ２(一端側)がケース１内の右側において同じ位置で固定されており、第１の板バネ４ａの左右方向中間付近が、第２の板バネ４ｂの左側端部４２ｂ２（他端側）付近にほぼ対応する位置となる。
【００３９】
第１の板バネ４ａは、図１では左右両端部４２ａ１，４２ｂ１のほぼ中央箇所上面がバネ押さえバー３１により押される第１の被押圧箇所４２ｄ１となり、第１の被押圧箇所４２ｄ１より図中右側の途中部位（一端側４２ａ１と第１の被押圧箇所４２ｄ１とのほぼ中間付近）の下面が第１の支点部４２ｃ１となっており、第１の板バネ４ａは、第１の支点部４２ｃ１で板バネ支持台１２に支持されている。板バネ支持台１２はケース１の下部１ｂ内面に設けられている。
【００４０】
第２の板バネ４ｂは、図１では図中左側の他端部４２ｂ２の上面がバネ押さえバー３１により押される第２の被押圧箇所４２ｄ２となり、第２の被押圧箇所４２ｄ２より一端側４２ａ２に近い図中右側の途中部位の下面が第２の支点部４２ｃ２となっており、第２の板バネ４ｂは、第２の支点部４２ｃ２で板バネ支持台１２に支持されている。板バネ支持台１２はケース１の下部１ｂ内面に設けられている。第１の支点部４２ｃ１と第２の支点部４２ｃ２は、共に板バネ支持台１２の上面上に位置する。第２の被押圧箇所４２ｄ２は、図中の左右方向において、第１の被押圧箇所４２ｄ１とほぼ同一位置の箇所となっている。
【００４１】
ケース１の右側側面１ｃの内面に板バネ取り付け部１１が設けられている。板バネ取り付け部１１は、その下面が板バネ取り付け面となり、この板バネ取り付け面に第１及び第２の板バネ４ａ、４ｂの図中右側の一端側４２ａ１，４２ａ２を位置決めするための位置決めピン１１ａ、１１ｂが形成されている。板バネ取り付け部１１の下面は傾斜した板バネ取り付け面となっている。板バネ取り付け部の下面が傾斜していることで、押しボタン２を戻し位置に戻した際に、第１および第２の板バネ４ａ、４ｂの弾力を維持するようになっている。
【００４２】
第１および第２の板バネ４ａ、４ｂは右側一端側４２ａ１，４２ａ２が第１及び第２の基端部４２ａ１，４２ａ２とされ、これら第１及び第２の基端部４２ａ１，４２ａ２には、それぞれ、位置決め穴４２ｆ１，４２ｆ２が形成されている。位置決め穴４２ｆ１，４２ｆ２には、板バネ取り付け部１１の位置決めピン１１ａ，１１ｂが嵌め込まれている。これにより第１および第２の板バネ４、４４は、板バネ取り付け部１１の傾斜した板バネ取り付け面に取り付けられている。
【００４３】
第１および第２の板バネ４ａ、４ｂは、第１及び第２の被押圧箇所４２ｄ１，４２ｄ２がバネ押さえバー３１で下方へ押されると、第１及び第２の被押圧箇所４２ｄ１，４２ｄ２より一端側（基端部）４２ａ１，４２ａ２に近い第１及び第２の支点部４２ｃ１，４２ｃ２を撓み起点として下方へ撓むことができる。
【００４４】
押しボタン２により第１及び第２の被押圧箇所４２ｄ１，４２ｄ２が下方へ押されることにより、第１および第２の板バネ４ａ、４ｂそれぞれの第１及び第２の被押圧箇所４２ｄ１，４２ｄ２が下方へ移動する距離は、押しボタン２が下方へ移動する距離(押しボタン２の操作ストローク)に対応する。
【００４５】
第１の板バネ４ａは、第１の被押圧箇所４２ｄ１が下方へ移動すると、他端側４２ｂ２は自由端となって下方へ移動する。第１の板バネ４ａの他端側４２ｂ１はその中央部の突出部分が丸められて円筒形状となった先端部４２ｂ１となっている。
【００４６】
第１の板バネ４ａの先端部４２ｂ１に、リードスイッチ６をオンまたはオフに駆動する手段として円柱形状の磁石５が保持されている。なお、磁石５は円柱形状に限定されず、平板形状であってもよく、第１の板バネ４ａの先端部４２ｂ１は、磁石５の形状に合う筒状体であればよい。
【００４７】
押しボタン２が押されて第１の板バネ４ａが下方へ撓むと、磁石５は下方へ移動してリードスイッチ６に図１(ｂ)に示すように接近する。磁石５がリードスイッチ６に近接した位置（第１の駆動位置）に移動すると、磁石５の磁力がリードスイッチ６に達してリードスイッチ６はオンに駆動される。
【００４８】
押しボタン２の押し込み操作が解除されると押しボタン２は第１および第２の板バネ４ａ、４ｂにより上方に付勢されて図１(ａ)の戻し位置に戻ると共に、磁石５はリードスイッチ６から離脱した位置（第２の駆動位置）に移動するので、磁石５の磁力がリードスイッチ６に達しなくなり、リードスイッチ６はオフになる。
【００４９】
磁石５が、ケース１の上部１ａに達するなど、移動制限位置に達すると第１の板バネ４ａは復元力を失うが、第２の板バネ４ｂは磁石５の移動制限と無関係に復元力を持ち、第１の板バネ４ａと離れて押しボタン２を戻し位置まで上方に付勢する。
【００５０】
実施形態１では、磁石５の磁力によるリードスイッチ６のオンオフを確実にするために、ケース１の上部１ａの内面側に、磁石５の磁力を吸収する磁気遮蔽板７が設けられている。
【００５１】
磁気遮蔽板７は、鉄板等の強磁性体からなり、図１では紙面を垂直に延び、図２では上下に延びる矩形板状をなし、上下方向長さはリードスイッチ６に達する磁力を吸収するに足るものとする。磁石５はリードスイッチ６から上方位置に離脱した位置(第２の駆動位置)でその磁力を磁気遮蔽板７に吸収され、リードスイッチ６を確実にオフできる。
【００５２】
また、磁気遮蔽板７は、磁石５に近い位置で固定され、磁力の吸収作用が大きい部材、例えば厚さが大きい鉄板等を使用でき、実用性が高まる。
【００５３】
第１の板バネ４ａは、板バネ支持台１２で第１の基端側４２ａ１に近い第１の支点部４２ｃ１が支持されているので、バネ押さえバー３１により第１の被押圧箇所４２ｄ１が押されると、第１の支点部４２ｃ１を撓み起点として図中左側の先端部４２ｂ１が下方へ撓む。この場合、第１の被押圧箇所４２ｄ１の下方移動距離に対して、磁石５の下方移動距離が拡大する。
【００５４】
その結果、リードスイッチ６をオンさせるのに必要とする押しボタン２の操作ストロークは、磁石５の移動距離よりも小さくて済み、これにより、押しボタンスイッチは押しボタン２の操作方向における厚みを薄くすることができる。
【００５５】
バネ押さえバー３１下面の２つの位置決めピン３２ａ，３２ｂはそれぞれ第１及び第２の板バネ４ａ，４ｂの位置決め穴４２ｅ１，４２ｅ２に入り込んでいる。これにより、押しボタン２が押し込み操作されるとき、位置決めピン３２ａ，３２ｂは前後左右に動かないので、押しボタン２は傾かない。
【００５６】
位置決めピン３２ａ，３２ｂが入り込む第１および第２の板バネ４ａ、４ｂの位置決め穴４２ｅ１，４２ｅ２は，位置決めピン３２ａ，３２ｂの断面形状と同じ形状の穴が適し押しボタン２の押し込み操作の際の当該押しボタン２の傾きをより有効に防止できる。実施形態１では位置決め穴４２ｅ１，４２ｅ２は２つになっているが、必要に応じて数を増やすことが出来る。
【００５７】
リードスイッチ６は、ケース１内部の左側下方に固定されている。磁石５の磁極軸(Ｎ磁極とＳ磁極を結ぶ軸)の方向は、リードスイッチ６の電極軸の方向と平行としている。この場合、磁石５の磁極はどちらでも良い。
【００５８】
実施形態１では、押しボタン２の操作面は平坦であり、押しボタンスイッチの薄型化にはよいが、必ずしも平坦である必要はなく、押しボタン２の操作面中央部位を若干膨らませた形状としてもよい。こうすると、押しボタン２は乗客の手指によりその中央が押されやすくなり、押しボタン２が傾かず、押しボタン２の操作性がより向上する。
【００５９】
実施形態１においては、押しボタン２、リードスイッチ６、磁石５が並べられて配置され、また、第１の板バネ４ａの先端部４２ｂ１にある磁石５の移動距離は、押しボタン２の操作ストロークが拡大されたものとなり、押しボタン２の操作ストロークを小さくし、第１の板バネ４ａに第２の板バネ４ｂを重ねることによって押しボタン２の操作性を改善することができる。その結果、実施形態１の押しボタンスイッチは、その薄型化を容易に実現することができる。
【００６０】
なお、実施形態１では、バネ押さえバー３１により第１の板バネ４ａを下方に押し込んで、第１の板バネ４ａの先端部４２ｂ１を下方に移動させるようになっているが、バネ押さえバー３１ではなく、鍔３の一部あるいは押しボタン２の一部を用いて第１の板バネ４を下方に移動させるようにしてもよい。
【００６１】
下記の態様における作用効果を説明する。
【００６２】
上記したように、押しボタン２には、押しボタン２の動き範囲を規制する鍔３と、鍔３の下面に取り付けられて板バネの被押圧箇所を押さえるバネ押さえバー３１とが設けられている。この構成では、板バネ４ａ，４ｂの被押圧箇所４２ｄ１，４２ｄ２を均一に押さえることができるので、押しボタン２の押し込み操作に際して板バネ４ａ，４ｂは傾くことなく，他端側４２ｂ１，４２ｂ２の下方への移動距離を常にほぼ一定にでき、第１の板バネ４ａに取り付けられた磁石５によるリードスイッチ６のオンオフをより適確にすることができる。
【００６３】
上記したように、バネ押さえバー３１の一部に設けたピン３２ａ，３２ｂあるいは別途に設けたピンを板バネ４ａ，４ｂに開けた位置決め穴４２ｅ１，４２ｅ２に差し込むようになっているので、バネ押さえバー３１と板バネ４ａ，４ｂとの相対位置のずれがなくなり、押しボタン２の傾きを低減ないし防止でき、その操作性が向上する。
【００６４】
上記したように、第１の板バネ４ａの他端側４２ｂ１の一部は筒状体になっており、磁石５は前記筒状体内に保持されている。この実施態様では、磁石５の取り付けが簡単で、かつ、第１の板バネ４ａの他端側４２ｂ１が上下動しても磁石５が脱落する虞がなくその取り付け状態が安定化する。
【００６５】
上記したように、板バネ４ａ，４ｂは、位置決めピン１１ａ，１１ｂが、位置決め穴４２ｆ１，４２ｆ２に挿入されて板バネ取り付け部１１に固定されて、その一端側４２ａ１，４２ａ２が板バネ取り付け部１１に固定されるので、押しボタン２の操作で、板バネ４ａ，４ｂが多数回、撓みが繰り返されても、板バネ４ａ，４ｂの位置が維持され、押しボタンスイッチの使用上の信頼性が向上する。
【００６６】
以上から、実施形態１においては、押しボタン２の押し込み操作の解除、つまり、戻し操作で磁石５のような駆動手段がケース１内上部に達するなどして、磁石５を備える第１の板バネ４ａがその移動の制限位置に達して押しボタン２を戻し位置に戻すための復元力を失っても、第２の板バネ４ｂは磁石５を備えないため、そのような制限を受けず押しボタン２を所定の戻し位置に戻すための復元力を維持している。そのため、本発明によれば、押しボタン２は第２の板バネ４ｂの復元力で所定の戻し位置まで復帰し、その結果、復帰姿勢がぐらつかず安定するため、その操作性が向上する。
【００６７】
（実施形態２)
図３は、本発明の実施形態２に係る押しボタンスイッチの原理的な概略側面構造図である。図３では、第１および第２の板バネ４ａ、４ｂを押しボタン１が戻し位置にあるときは実線で、押しボタン１が押し込み位置にあるとき点線でその形状を示している。
【００６８】
実施形態１の押しボタンスイッチにおいては、リードスイッチ６は、押しボタン２の押し込み操作によりオンするので、その内部接点はａ接点である。
【００６９】
これに対して、実施形態２では、実施形態１のリードスイッチ６と磁気遮蔽板７との上下位置関係を交換し、磁石５との位置関係が押しボタンの押し、および、戻りに対して、実施形態１とは逆になっている。リードスイッチ６は、押しボタン２の戻しでオン、押しボタン２の押し操作でオフとなる。すなわち、実施形態２の押しボタンスイッチでは、リードスイッチ６の内部接点をｂ接点としたことを特徴とする。
【００７０】
実施形態２においても、押しボタン２の押し込み操作の解除で、第１の板バネ４ａがケース１内上部に達するなどして、その移動の制限位置に達して押しボタン２を戻し位置に戻すための復元力を失っても、第２の板バネ４ｂは駆動手段である磁石５を備えないため、そのような制限を受けず押しボタン２を戻し位置に戻すための復元力を維持している。そのため、実施形態２においても、押しボタン２は、第２の板バネ４ｂの復元力で所定の戻し位置まで復帰する結果、その復帰姿勢が安定し、その操作性が向上する。
【００７１】
（実施形態３）
図４は、本発明の実施形態３に係る押しボタンスイッチの原理的な概略側面の一部構造図であり、(ａ)は押しボタン戻り状態、(ｂ)は押しボタン押し込み状態を示す。実施形態３においては、第１の板バネ４ａの先端部４２ｂ１の構成と、磁石５、リードスイッチ６以外の構成は、実施形態１と同様であるので、それらの図示を略すると共に、第２の板バネ４ｂについての説明は省略する。
【００７２】
実施形態１，２では、磁石５は、第２の板バネ４ｂの先端部４２ｂ１に固定され、磁気遮蔽板７は固定されている。実施形態３においては、図４（ａ）（ｂ）に示すように、リードスイッチ６と磁石５とを対向配置すると共に、第２の板バネ４ｂの先端部４２ｂ１を上方に折り曲げ、次いで下方に折り返して磁気遮蔽板１としている。このように実施形態３においては、磁気遮蔽板は第２の板バネ４ｂの先端部４２ｂ１で構成され、当該第２の板バネ４ｂの挙動で移動する一方、磁石５は固定されている。すなわち、押しボタン２が戻し位置にあると、図４（ａ）に示すように、第２の板バネ４ｂの先端部４２ｂ１からなる磁気遮蔽板は、リードスイッチ６と磁石５との間に介入してリードスイッチ６をオフに駆動し、また、押しボタン２が押し込み操作されると、図４（ｂ）に示すように、第２の板バネ４ｂの先端部４２ｂ１からなる磁気遮蔽板は、リードスイッチ６と磁石５との間から離脱してリードスイッチ６を磁石５の磁力によりオンに駆動する。
【００７３】
なお、第２の板バネ４ｂの先端部４２ｂ１は二重折りにされているが、二重折りでなくてもよく、第２の板バネ４ｂの先端部４２ｂ１を厚肉にしてもよいし、第２の板バネ４ｂの先端部４２ｂ１に別途に磁気遮蔽板を設けてもよい。
【００７４】
以上説明したように、本発明によれば、リードスイッチを用いたことによりドア開閉機構を作動させる電圧・電流定格を大きくすることができると共に、従来あったシリンダが不要であるので、従来の押しボタンスイッチよりも薄型化した押しボタンスイッチを実現することができる。
【００７５】
さらに、本発明では、押しボタンの押し込み操作の解除で駆動手段がケース内上部に達するなどして、駆動手段を備える第１の板バネがその移動の制限位置に達して押しボタンを戻し位置に戻すための復元力を失っても、第２の板バネは、そのような制限を受けず押しボタンを戻し位置に戻すための復元力を維持している。そのため、本発明では、第２の板バネの復元力で押しボタンをその戻し位置まで移動させることができ、その結果、押しボタンを戻し位置での姿勢を安定させて、その操作性を向上させることができる。
【００７６】
本発明は、上記実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００７７】
１      ケース
１ｄ    ケースの開口部
１１    板バネ取り付け部
１１ａ，１１ｂ    板バネの位置決めピン
１２    板バネ支持台
１３    押しストッパ
１４    戻しストッパ
２      押しボタン
３      鍔
３１    バネ押さえバー
３２ａ，３２ｂ    位置決めピン
４ａ   第１の板バネ
４２ａ１  第１の板バネの一端側（基端部)
４２ｂ１  第１の板バネの他端側（先端部)
４２ｃ１  第１の板バネの途中部（支点部）
４２ｄ１  第１の板バネの被押圧箇所
４２ｅ１  第１の板バネの位置決め穴
４２ｆ１  第１の板バネの位置決め穴
４ｂ  第２の板バネ
４２ａ２  第２の板バネの一端側（基端部)
４２ｂ２  第２の板バネの他端側（先端部)
４２ｃ２  第２の板バネの途中部（支点部）
４２ｄ２  第２の板バネの被押圧箇所
４２ｅ２  第２の板バネの位置決め穴
４２ｆ２  第２の板バネの位置決め穴
５      磁石（駆動手段）
６      リードスイッチ
７      磁気遮蔽板
【図１】
2017079100.tif 000003
【図２】
2017079100.tif 000004
【図３】
2017079100.tif 000005
【図４】
2017079100.tif 000006
【図５】
2017079100.tif 000007